(57)【特許請求の範囲】
【請求項１】
床板に形成される取付孔に設置される配線器具であって、
前記取付孔に挿入状態で配置される筐体と、
前記筐体の底部に配置される傾斜面部に取り付けられる接続部材と、
前記筐体を塞ぐ蓋体と、
前記筐体内外に配線される第一線部材を挿通させるために前記蓋体に設けられる第一引出孔を塞ぐ配線蓋体と、
前記接続部材の接続口の上方において前記接続部材の幅方向に延在し、前記傾斜面部に対して突出する突条部とを備え、
前記配線蓋体は、前記第一引出孔への取り付け方向を変更することで配線を引き出すための引出口を形成する膨出部を備え、
前記突条部は、前記配線蓋体が前記蓋体の前記第一引出孔を塞いだ状態において、前記膨出部の先端部の下方に配置され、かつ、上下方向において前記膨出部の先端部と重なるように配置される
配線器具。
【請求項２】
床板に形成される取付孔に設置される配線器具であって、
前記取付孔に挿入状態で配置される筐体と、
前記筐体の底部に配置される傾斜面部に取り付けられる接続部材と、
前記筐体を塞ぐ蓋体と、
前記筐体内外に配線される第一線部材を挿通させるために前記蓋体に設けられる第一引出孔を塞ぐ配線蓋体と、
前記接続部材の接続口の上方において前記接続部材の幅方向に延在し、前記傾斜面部に対して突出する突条部と、
前記接続部材を裏側から覆うように前記筐体に取り付けられ、前記接続部材に接続される第二線部材を挿通させるための第二引出孔を有する裏カバー部材と、を備え、
前記裏カバー部材は、排水用の排水孔を備える
配線器具。
【請求項３】
前記突条部は、前記接続部材を囲い、前記傾斜面部を覆うカバー部材に設けられる
請求項１または２に記載の配線器具。
【発明の詳細な説明】
【技術分野】
【０００１】
本発明は、床板に埋め込まれる配線器具、および、当該配線器具に用いられるカバー部材に関する。
【背景技術】
【０００２】
従来、オフィスなどにおいては、床板の下方に電線やＬＡＮケーブルなどの線部材を配線するいわゆるフリーアクセスフロアが用いられる場合がある。また、昨今では家電製品や家庭用情報機器の増加に伴い住居の床下に線部材を配線する場合も増加している。このような床下配線においては、床上の居室に配線される電線やＬＡＮケーブルを床下に配線された線部材と接続するための配線器具が床板に埋設されている（特許文献１参照）。
【０００３】
このような配線器具は、不使用時には蓋で閉ざされており、電源プラグなどを取り付ける際には蓋を開け、接続器具の接続状態を維持するには蓋に設けられた小さな引出孔から電線などを引き出している。
【先行技術文献】
【特許文献】
【０００４】
【特許文献１】特開２０１１−１０１４７６号公報
【発明の概要】
【発明が解決しようとする課題】
【０００５】
このような床板に埋設される配線器具においては、不本意に水などの液体が掛かる場合があり、引出孔から配線器具内に侵入した液体が、電源コンセントをショートさせたり、ＬＡＮ用のモジュラージャックでは、通信エラーを発生させたりする事態が考えられる。
【０００６】
本発明は、前述の事態を未然に防止すべくなされたものであり、防水性能を高めた配線器具、および、配線器具に用いられるカバー部材を提供することを目的とする。
【課題を解決するための手段】
【０００７】
本発明の一態様に係る配線器具は、床板に形成される取付孔に設置される配線器具であって、前記取付孔に挿入状態で配置される筐体と、前記筐体の底部に配置される傾斜面部に取り付けられる接続部材と、前記筐体を塞ぐ蓋体と、前記筐体内外に配線される第一線部材を挿通させるために前記蓋体に設けられる第一引出孔を塞ぐ配線蓋体と、前記接続部材の接続口の上方において前記接続部材の幅方向に延在し、前記傾斜面部に対して突出する突条部とを備える。
【０００８】
また、本発明の他の態様に係るカバー部材は、床板に形成される取付孔に挿入状態で配置される筐体と、前記筐体の底部に配置される傾斜面部に取り付けられる接続部材と、前記筐体を塞ぐ蓋体と、前記筐体内外に配線される第一線部材を挿通させるために前記蓋体に設けられる第一引出孔を塞ぐ配線蓋体とを備える配線器具に用いられるカバー部材であって、前記接続部材の接続口の上方において前記接続部材の幅方向に延在し、前記傾斜面部に対して突出する突条部を備え、前記接続部材を囲い、前記傾斜面部を覆う。
【発明の効果】
【０００９】
本発明の一態様に係る配線器具、および、カバー部材によれば、蓋体に設けられた引出孔から侵入した水分から接続部材を保護することが可能となる。
【図面の簡単な説明】
【００１０】
【図１】図１は、配線器具の外観を示す斜視図である。
【図２】図２は、図１中Ｉ−Ｉ線に沿った配線器具の断面図である。
【図３】図３は、膨出部を露出させ、引出口を出現させた状態の配線蓋体を蓋体など共に示す斜視図である。
【図４】図４は、突条部と接続部材および傾斜面部を他の部分を省略して示す斜視図である。
【図５】図５は、裏カバー部材と接続部材とを他の部分を省略して示す斜視図である。
【図６】図６は、別形状の突条部を備えたカバー部材を示す斜視図である。
【図７】図７は、さらに別形状の突条部を備えたカバー部材を示す斜視図である。
【図８】図８は、さらに別形状の突条部を示す断面図である。
【発明を実施するための形態】
【００１１】
以下では、本発明の実施の形態に係る配線器具、および、配線器具に用いられるカバー部材について、図面を用いて説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
以下、実施の形態について説明する。
【００１４】
［配線器具の構成］
図１は、配線器具の外観を示す斜視図である。
【００１５】
図２は、図１中Ｉ−Ｉ線に沿った配線器具の断面図である。
【００１６】
これらの図に示すように配線器具１００は、床板２００に形成される取付孔２０１に挿入状態で設置される器具であって、筐体１０１と、接続部材１０２と、蓋体１０３と、配線蓋体１０４と、突条部１０５とを備えている。また、本実施の形態の場合、カバー部材１０６と、裏カバー部材１０７とを備えている。
【００１７】
［筐体］
筐体１０１は、床板２００の取付孔２０１に挿入状態で配置され、接続部材１０２を取付孔２０１内に保持するための構造部材であり、底部に傾斜面部１１１を備えている。筐体１０１の形状は、特に限定されるものではないが、本実施の形態の場合、全体視有底の円筒形状であり、円筒形状の周壁の一部は、二つの対向した平面部となっている。当該平面部は、筐体１０１を床板２００に固定するための固定手段を配置するために設けられている。さらに筐体１０１は、前記周壁と連続する前記平面部の一部からなる周壁部１１２と、傾斜面部１１１と平面壁部１１３とからなる基体部の２部材で形成されている。
【００１８】
［傾斜面部］
傾斜面部１１１は、接続部材１０２が取り付けられる筐体１０１の部分であり、配線器具１００が床板２００に取り付けられた状態において、接続部材１０２の接続口１２１が斜め上方を向くように保持する部分である。なお、傾斜面部１１１の傾斜角度は、特に限定されるものではないが、電源プラグなどの接続器具が着脱しやすく、かつ、接続器具を筐体１０１内に収容できる角度が好ましい。具体的に例えば傾斜面部１１１の傾斜角は、配線器具１００が取り付けられる床板２００の表面に対し３０度以上、６０度以下の範囲から選定されることが好ましい。
【００１９】
［接続部材］
接続部材１０２は、床板２００の上方に配線される第一線部材（図示せず）と床板２００の下方に配線される第二線部材（図示せず）とを着脱自在に接続するための部材である。接続部材１０２の種類は特に限定されるものではないが、具体的に例えば、電源コンセントやＬＡＮ用のモジュラージャックなどである。本実施の形態の場合、接続部材１０２はユニット化されており、配線器具１００は、種類の異なる接続部材１０２を取り替えて取り付けることができるものとなっている。
【００２０】
［蓋体］
蓋体１０３は、筐体１０１の上面開口部を塞ぐ部材である。蓋体１０３の形状は特に限定されるものではないが、本実施の形態の場合、筐体１０１が略円筒形状であるため、蓋体１０３は円板形状をなしている。また、筐体１０１の開口部には円環状のフランジ部材１９０が取り付けられており、蓋体１０３は、フランジ部材１９０の内周部に取り付けられるものとなっている。
【００２１】
また、蓋体１０３には、筐体１０１内外に配線される第一線部材（図示せず）を挿通させるために貫通状の第一引出孔１３１が設けられている。本実施の形態の場合、第一引出孔１３１は、蓋体１０３の端縁から中央に向かって矩形に切り欠かれた部分であり、蓋体１０３の中央部に近い第一引出孔１３１の端縁は、接続部材１０２の接続口の上方に位置している。
【００２２】
［第一引出孔］
第一引出孔１３１は、第一線部材の配線状態を維持しつつ筐体１０１の上面開口部のほとんどを蓋体１０３で防ぎ、床板２００上の安全を確保するために機能する部分である。
【００２３】
［配線蓋体］
配線蓋体１０４は、第一線部材を配線しない場合は、蓋体１０３の第一引出孔１３１を図１に示すように蓋体１０３と面一になるように塞ぎ、筐体１０１の内外に第一線部材を配線する場合は、第一引出孔１３１に取り付ける方向を変更することで、図３に示すように配線を引き出すための引出口１４１を蓋体１０３の上面から突出する状態で形成する部材である。
【００２４】
［突条部］
図４は、突条部と接続部材および傾斜面部を他の部分を省略して示す斜視図である。
【００２５】
同図に示すように、突条部１０５は、接続部材１０２の上方、特に接続口１２１の上方において接続部材１０２の幅方向に延在し、傾斜面部１１１に対してほぼ垂直（垂直含む）に壁状に突出する部分である。本実施の形態の場合、突条部１０５は、接続部材１０２を囲い傾斜面部１１１を着脱自在に覆うカバー部材１０６に一体に設けられている。また、突条部１０５は、中央部分が最も高く端部に行くほど徐々に低くなるように湾曲している。
【００２６】
以上のように、突条部１０５は、傾斜面部１１１に取り付けられるカバー部材１０６との間で樋を形成し、接続部材１０２の上方に掛かり接続部材１０２に向かってカバー部材１０６の表面をつたって落ちる水分を受け止め、接続部材１０２の側方に水分を案内する機能を備えている。
【００２７】
［突条部と膨出部との関係］
また図２に示すように、配線蓋体１０４が蓋体１０３の第一引出孔１３１を塞いだ状態において、引出口１４１を形成する膨出部１４２の先端部１４３の下方に突条部１０５は配置され、かつ、上下方向において引出口１４１の先端部１４３と相対して突出した状態で重なるように突条部１０５は配置されている。
【００２８】
配線蓋体１０４の膨出部１４２と突条部１０５とが上記のような配置関係になることで、蓋体１０３の中央部分において蓋体１０３と配線蓋体１０４との隙間から筐体１０１内部に侵入してきた水分は、膨出部１４２により突条部１０５まで案内され、樋として機能する突条部１０５に落ちる。そして突条部１０５は、受け止めた水分を接続口１２１を避けて接続部材１０２の側方に案内する。
【００２９】
［裏カバー部材］
図５は、裏カバー部材と接続部材とを他の部分を省略して示す斜視図である。
【００３０】
同図に示すように、裏カバー部材１０７は、傾斜面部１１１（図５では図示省略）に取り付けられた接続部材１０２を裏側から覆うように筐体１０１（同省略）に取り付けられる部材であり、接続部材１０２に接続される第二線部材（図示せず）を挿通させるための第二引出孔１７１を有する部材である。また、裏カバー部材１０７には、突条部１０５に案内され筐体１０１の隙間を通って落ちてきた水分を排水するための排水孔１７２を裏カバー部材１０７の底部に備えている。さらに裏カバー部材１０７は、第二引出孔１７１と排水孔１７２とを隔てる上方突出状の堤部１７３が設けられており、裏カバー部材１０７の底部に溜まった水分が第二引出孔１７１から漏れ出ないものとなっている。
【００３１】
［効果］
上述の配線器具１００によれば、蓋体１０３の部分に水分が不本意にかけられ、蓋体１０３と配線蓋体１０４との間から筐体１０１の内部に水分が侵入した場合でも、突条部１０５が水分を接続部材１０２の側方に案内するため、接続部材１０２の接続口１２１に水分が侵入して接続部材１０２をショートさせたり、接続部材１０２が備える金属部分などを腐食させたりする事態を回避することができる。
【００３２】
また、配線器具１００に着脱自在なカバー部材１０６によれば、配線器具１００全体を取り替えることなく、カバー部材１０６を取り替えるだけで簡単に上記効果を奏することが可能となる。
【００３３】
［その他］
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００３４】
例えば、上記実施の形態では、突条部１０５は、カバー部材１０６に設けられていたが、突条部１０５は、傾斜面部１１１や接続部材１０２の表面に設けられるものでもかまわない。
【００３５】
また、突条部１０５の形状は、湾曲形状ばかりでなく、図６に示す屈曲形状や、図７に示す一方に傾斜する形状など水分を接続の側方に案内できる形状であればよい。
【００３６】
また、突条部１０５の断面形状は、直線状に突出するものばかりでなく、図８に示すように湾曲するものなどでもかまわない。  また、
【符号の説明】
【００３７】
１００  配線器具
１０１  筐体
１０２  接続部材
１０３  蓋体
１０４  配線蓋体
１０５  突条部
１０６  カバー部材
１０７  裏カバー部材
１１１  傾斜面部
１２１  接続口
１３１  第一引出孔
１４１  引出口
１４２  膨出部
１４３  先端部
１７１  第二引出孔
１７２  排水孔
２００  床板
２０１  取付孔
【図１】
0006620988.tif 000002
【図２】
0006620988.tif 000003
【図３】
0006620988.tif 000004
【図４】
0006620988.tif 000005
【図５】
0006620988.tif 000006
【図６】
0006620988.tif 000007
【図７】
0006620988.tif 000008
【図８】
0006620988.tif 000009